(57)【要約】【課題】操作パネルにＵＳＢデバイスを備えている場合にも、操作部からキータッチで省電力モードから復帰させることができるようにする。【解決手段】画像処理装置は、複数の省電力モードを有し、機器の状態表示、キー検知を行うマイコンを搭載した操作パネル４と、コントローラ１とを備え、両者は、少なくとも２つのインタフェース１５、１６により接続され、画像処理装置の省電力モード時に、少なくとも１つのインタフェース１６を省電力制御の対象とせず、他のインタフェース１５を省電力制御の対象とする。インタフェース１５は、ＵＳＢインタフェースであり、インタフェース１５は、省電力モード時、操作パネル４のキー検知による省電力モードからの復帰信号を、インタフェース１６を介してコントローラ１に送信する。【選択図】図４
2009048548.tif 000002
【特許請求の範囲】
【請求項１】
複数の省電力モードを有する画像処理装置であって、
機器の状態表示、キー検知を行うマイコンを搭載した操作部と、制御部とを備え、
前記操作部と制御部とは、少なくとも２つのインタフェースにより接続され、画像処理装置の省電力モード時に、少なくとも１つのインタフェースを省電力制御の対象とせず、他のインタフェースを省電力制御の対象とすることを特徴とする画像処理装置。
【請求項２】
前記省電力制御の対象とされるインタフェースが、ＵＳＢインタフェースであることを特徴とする請求項１記載の画像処理装置。
【請求項３】
複数の省電力モードを有する画像処理装置であって、
機器の状態表示、キー検知を行うマイコンを搭載した操作部と、制御部とを備え、
前記操作部と制御部とは、ＵＳＢインタフェースと該ＵＳＢインタフェース以外の省電力制御されないインタフェースとにより接続され、
前記操作部と制御部との間の表示データ、キーデータの送受信を前記ＵＳＢインタフェースを介して行い、画像処理装置の省電力モード時、操作部のキー検知による省電力モードからの復帰信号を、前記ＵＳＢインタフェース以外のインタフェースを介して前記制御部に送信することを特徴とする画像処理装置。
【請求項４】
複数の省電力モードを有する画像処理装置であって、
機器の状態表示、キー検知を行うマイコンを搭載した操作部と、制御部とを備え、
前記操作部と制御部とは、ＵＳＢインタフェースにより接続され、
画像処理装置の省電力モード時、一定期間毎に、前記ＵＳＢインタフェースを構成するデバイスを省電力状態から復帰させて、前記制御部が操作部のキー検知を行うことを特徴とする画像処理装置。
【請求項５】
画像処理装置の省電力モード時、前記ＵＳＢインタフェースを構成するデバイスへの供給電源をＯＦＦとすることを特徴とする請求項３または４記載の画像処理装置。
【請求項６】
複数の省電力モードを有する画像処理装置であって、
機器の状態表示、キー検知を行うマイコンと、ＵＳＢ−Ｈｏｓｔインタフェース及びメモリカードスロットとを搭載した操作部と、制御部とを備え、
前記操作部と制御部とは、ＵＳＢインタフェースと該ＵＳＢインタフェース以外の省電力制御されないインタフェースとにより接続され、
前記操作部と制御部との間の表示データ、キーデータの送受信、及び、前記操作部と制御部との間の前記ＵＳＢ−Ｈｏｓｔインタフェースに接続されるＵＳＢデバイス及びメモリカードスロットに接続されるメモリカードのデータの送受信を前記ＵＳＢインタフェースを介して行い、画像処理装置の省電力モード時、ＵＳＢ−Ｈｏｓｔインタフェースに接続されるＵＳＢデバイスの有無の検知信号、メモリカードの有無の検知信号を、前記ＵＳＢインタフェース以外のインタフェースを介して前記制御部に送信することを特徴とする画像処理装置。
【請求項７】
前記操作部のマイコンは、省電力状態で、ＵＳＢ−ＨｏｓｔインタフェースにＵＳＢデバイスが接続され、あるいは、メモリカードスロットにメモリカードが接続されたとき、省電力状態からの復帰中であること、ＵＳＢデバイス、あるいは、メモリカードの抜差禁止の警告を、ＬＣＤ画面に表示することを特徴とする請求項６記載の画像処理装置。
【請求項８】
前記操作部は、表示用のＬＥＤを備え、ＬＥＤの点灯デューティを可変とし、省電力状態で、前記ＬＥＤの点灯デューティを小さくすることを特徴とする請求項１ないし７のうちいずれか１記載の画像処理装置。
【発明の詳細な説明】
【技術分野】
【０００１】
本発明は、画像処理装置に係り、特に、操作部のキータッチにより省電力モードからの復帰を行わせるための操作部から制御部への情報の伝達を容易に行うことが可能な画像形成装置に関する。
【背景技術】
【０００２】
近年、ＭＦＰ等における画像処理装置は、操作パネルの高機能化（例えば、表示画面が大きくなったり、アニメーション・動画を表示したり、メモリＩ／Ｆを装備したり等）によって、操作パネル（操作部）とコントローラ（制御部）との間のデータ転送量が増加しており、高速なインタフェースの採用が不可欠となってきている。また、カラーの高機能操作パネルを備えるものからモノクロの数行の文字を表示するだけものまで、多品種の製品を短納期で開発し、市場へ投入するために、共通化しやすい汎用性の高いインタフェース、例えば、高速シリアルインタフェースＵＳＢ等の採用が求められている。
【０００３】
一方、機器の省電力化もより一層求められており、各デバイスの省エネモード等を活用し、電力低減が図られているが、更なる低消費電力が求められており、汎用インタフェースを画像処理装置に適用する際に新たな課題も生じている。
【０００４】
図１、図２は従来技術による画像処理装置の構成例を示すブロック図である。図１に示す画像処理装置は、高価な操作パネルを有する画像処理装置の例であり、図１に示すように、操作パネル４と、プリンタ、スキャナ等エンジンコントローラ１０と、これらを制御する制御部としてのコントローラ１により構成されている。
【０００５】
前述において、コントローラ１は、ネットワークＩ／Ｆ部、PanelＩ／Ｆ部、ＵＳＢＩ／Ｆ部、EngineＩ／Ｆ部、Pawer Save部の各機能部を含むＡＳＩＣ３と、ＣＰＵ２とにより構成されている。また、操作パネル４は、操作パネルの表示部としてのＬＣＤ７と、これを制御するＬＣＤコントローラ５と、表示ランプとしてのＬＥＤ８と、各種のキーＳＷ（ソフトスイッチも含む）９と、サブ電源キーＳＷ１７と、マイコン６とにより構成されている。マイコン６は、コントローラ１との間で情報の授受を行ってＬＥＤ８の点灯を制御し、ＬＣＤコントローラ５を介してＬＣＤ７での表示を制御すると共に、キーＳＷ９の状態を取り込んでコントローラ１に送信する。そして、前述したような高価な操作パネルを有する画像処理装置は、サブ電源キーＳＷ１７を備えていて、省エネモード時に、ＬＣＤ７、エンジンコントローラ１０、及び、他の電源をＯＦＦとするのが通常である。
【０００６】
一方、図２に示す画像処理装置は、安価な操作パネルを有する画像処理装置の例であり、その構成は、図１に示す例の構成から操作パネル４のサブ電源キーＳＷ１７をなくした構成と同様となる。但し、このような安価な操作パネルを有する画像処理装置の例の場合、ＬＣＤ７自体も、モノクロのＳＴＮタイプのＬＣＤ等の安価なものが使用されるのが一般的である。このため、このような安価な操作パネルを有する画像処理装置は、操作パネルの電力消費もそれほど多くないため、電源制御機能をなくし、省エネモード時にエンジンコントローラ１０の電源をＯＦＦとするが、操作パネル４には電源を供給したままとして、ＬＣＤ７を表示をしたままとしているものもある。
【０００７】
図３はＵＳＢインタフェース、メモリカードスロットを機器前面に配置した場合の従来技術による画像処理装置の構成例を示す図である。前述で制御したように、近年、ＵＳＢインタフェース、メモリカードスロットを機器前面に配置する要求があり、図３に示す例は、このような要求により構成された画像処理装置の例である。
【０００８】
図３に示す画像処理装置は、操作パネル４に、ＵＳＢＨｕｂ１１、該Ｈｕｂ１１に接続されたＵＳＢ−Ｉ／Ｆ１２、メモリカードＩ／Ｆ１４、メモリカードＩ／Ｆ１４とＵＳＢＨｕｂ１１とを接続しメモリカードを制御するメモリカードコントローラ１３が設けられており、ＵＳＢＨｕｂ１１とコントローラ１のＡＩＳＩＣ３内に設けられたＵＳＢ−Ｉ／Ｆとの間が高速シリアルインタフェースであるＵＳＢインタフェース１５により接続されて情報の授受を行うようにされている点で、図１、図２により説明したものと相違するだけで、その他は、同様に構成されている。このように構成した画像処理装置によれば、ユーザは、前面側からＵＳＢ−Ｉ／Ｆ１２を介して他の機器を画像処理装置に接続して使用することができ、また、メモリカードＩ／Ｆ１４に種々のメモリカードを接続して使用することができる。そして、図３に示す画像処理装置においても、省エネモード時に、ＬＣＤ７、エンジンコントローラ１０、及び、他の電源をＯＦＦとすることができる。また、図３に示す画像処理装置は、省エネモード時に、操作パネル４内のＵＳＢＨｕｂ１１、コントローラ１内のＡＳＩＣ３のＵＳＢ−Ｉ／Ｆ部をも、クロック停止、電源ＯＦＦ等により省エネ状態に移行させることができる。
【０００９】
なお、画像処理装置の省エネルギー技術に関する従来技術として、例えば、特許文献１等に記載された技術が知られている。この従来技術は、操作部に備えられるＣＰＵが、省エネコントローラ機能を有し、装置の省エネモードへの移行、解除を制御するというものである。
【特許文献１】特開２００４−２５５６５８号公報
【発明の開示】
【発明が解決しようとする課題】
【００１０】
前述した図３に示す従来技術による画像処理装置は、省エネモードにあるときに、操作パネルのキー入力に対して、操作パネルのＵＳＢデバイス側からコントローラ側へキー入力があったことの通知を行うことができないものである。このため、この従来技術は、コントローラ側から一定時間間隔で、操作パネル上のマイコンとデータの送受信を行って、キー入力が行われたか否かを確認して、省エネモードからの解除を行う必要があり、ＵＳＢ特有のＳｕｓｐｅｎｄ機能（省電力モード）をうまく活用することができず電力ロスを発生してしまうという問題点を生じている。
【００１１】
本発明の目的は、前述したような従来技術の問題点を解決し、操作パネルにＵＳＢデバイスを備えて構成した場合にも、操作部からキータッチで省電力モードから復帰させることができるように、操作部から制御部へ情報の伝達を容易に行うことができるようにした画像処理装置を提供することにある。
【課題を解決するための手段】
【００１２】
前記目的を達成するため本発明の第１の手段は、複数の省電力モードを有する画像処理装置であって、機器の状態表示、キー検知を行うマイコンを搭載した操作部と、制御部とを備え、前記操作部と制御部とは、少なくとも２つのインタフェースにより接続され、画像処理装置の省電力モード時に、少なくとも１つのインタフェースを省電力制御の対象とせず、他のインタフェースを省電力制御の対象とすることを特徴とする。
【００１３】
また、本発明の第２の手段は、第１の手段において、前記省電力制御の対象とされるインタフェースが、ＵＳＢインタフェースであることを特徴とする。
【００１４】
また、本発明の第３の手段は、複数の省電力モードを有する画像処理装置であって、機器の状態表示、キー検知を行うマイコンを搭載した操作部と、制御部とを備え、前記操作部と制御部とは、ＵＳＢインタフェースと該ＵＳＢインタフェース以外の省電力制御されないインタフェースとにより接続され、前記操作部と制御部との間の表示データ、キーデータの送受信を前記ＵＳＢインタフェースを介して行い、画像処理装置の省電力モード時、操作部のキー検知による省電力モードからの復帰信号を、前記ＵＳＢインタフェース以外のインタフェースを介して前記制御部に送信することを特徴とする。
【００１５】
また、本発明の第４の手段は、複数の省電力モードを有する画像処理装置であって、機器の状態表示、キー検知を行うマイコンを搭載した操作部と、制御部とを備え、前記操作部と制御部とは、ＵＳＢインタフェースにより接続され、画像処理装置の省電力モード時、一定期間毎に、前記ＵＳＢインタフェースを構成するデバイスを省電力状態から復帰させて、前記制御部が操作部のキー検知を行うことを特徴とする。
【００１６】
また、本発明の第５の手段は、第３または第４の手段において、画像処理装置の省電力モード時、前記ＵＳＢインタフェースを構成するデバイスへの供給電源をＯＦＦとすることを特徴とする。
【００１７】
また、本発明の第６の手段は、複数の省電力モードを有する画像処理装置であって、機器の状態表示、キー検知を行うマイコンと、ＵＳＢ−Ｈｏｓｔインタフェース及びメモリカードスロットとを搭載した操作部と、制御部とを備え、前記操作部と制御部とは、ＵＳＢインタフェースと該ＵＳＢインタフェース以外の省電力制御されないインタフェースとにより接続され、前記操作部と制御部との間の表示データ、キーデータの送受信、及び、前記操作部と制御部との間の前記ＵＳＢ−Ｈｏｓｔインタフェースに接続されるＵＳＢデバイス及びメモリカードスロットに接続されるメモリカードのデータの送受信を前記ＵＳＢインタフェースを介して行い、画像処理装置の省電力モード時、ＵＳＢ−Ｈｏｓｔインタフェースに接続されるＵＳＢデバイスの有無の検知信号、メモリカードの有無の検知信号を、前記ＵＳＢインタフェース以外のインタフェースを介して前記制御部に送信することを特徴とする。
【００１８】
また、本発明の第７の手段は、第６の手段において、前記操作部のマイコンは、省電力状態で、ＵＳＢ−ＨｏｓｔインタフェースにＵＳＢデバイスが接続され、あるいは、メモリカードスロットにメモリカードが接続されたとき、省電力状態からの復帰中であること、ＵＳＢデバイス、あるいは、メモリカードの抜差禁止の警告を、ＬＣＤ画面に表示することを特徴とする。
【００１９】
また、本発明の第７の手段は、第１ないし第７の手段のうちいずれか１記載の手段において、前記操作部は、表示用のＬＥＤを備え、ＬＥＤの点灯デューティを可変とし、省電力状態で、前記ＬＥＤの点灯デューティを小さくすることを特徴とする。
【発明の効果】
【００２０】
本発明によれば、ＵＳＢインタフェースを構成するＰＨＹ、ＨＵＢデバイスをＳｕｓｐｅｎｄ状態へ移行させた状態であっても、コントローラ側が、ＵＳＢインタフェース以外の専用の復帰信号のレベル等を検知することができ、キー検知の有無を認識して、画像処理装置を省エネ状態から復帰させることができる。
【発明を実施するための最良の形態】
【００２１】
以下、本発明による画像処理装置の実施形態を図面により詳細に説明する。
【００２２】
図４は本発明の第１の実施形態による画像処理装置の構成を示すブロック図である。図４に示す本発明の第１の実施形態による画像処理装置は、基本的に、図３により説明したものと同一に構成されており、操作パネル４上のマイコン６とコントローラ１内のＡＳＩＣ３とが、ＵＳＢインタフェース１５とは別のインタフェースである信号線１６により接続されている点が図３により説明したものと相違している。そして、別のインタフェースである信号線１６により接続される操作パネル４のマイコン６とコントローラ１内のＡＳＩＣ３のPawer Save部は、装置が省エネ状態になった後も、省エネの対象とされず、マイコン６から信号線１６を介した情報の送信を行うことができるようにされている。
【００２３】
図４−１は本発明の第１の実施形態での省エネモードへの移行時及び省エネモードからの復帰時の処理動作を説明するフローチャートであり、次に、これについて説明する。
【００２４】
図４−１（ａ）に示す省エネモードへの移行時のフローにおいて、予め定めた一定時間の間、コピー、印刷等の画像処理装置の使用が無かったか否かを監視し、画像処理装置が一定時間使用されなかった場合（ステップ２０１）、操作パネル４内のＵＳＢＨｕｂ１１は、Suspend(省エネモード）bit をセットし、省エネモードへ移行する（ステップ２０２）。また、コントローラ１内のＡＳＩＣ３は、ＡＳＩＣ３の内部レジスタのクロックストップbit をセットし、ＡＳＩＣ３内のＵＳＢ−Ｉ／Ｆ部のクロックを停止させる（ステップ２０３）。これにより、画像処理装置は、省エネ状態となり、消費電力が低減される。
【００２５】
次に、図４−１（ｂ）に示すフローを参照して本発明の第１の実施形態での省エネモードからの復帰時の処理動作を説明する。
【００２６】
（１）操作パネル４内のマイコン６は、省エネモード中も、ＬＣＤ７に対する表示リフレッシュ（データ再送）を行うと共に、キーＳＷ９の操作が行われたか否かを検知するためキースキャンを行っている（ステップ２１１、２１２）。
【００２７】
（２）ステップ２１２のキースキャンにより、キーＳＷ９の操作が行われたか否かを判定し、キー操作が行われていなかった場合、ステップ２１１からの処理に戻って処理を続ける（ステップ２１３）。
【００２８】
（３）ステップ２１３の判定で、キーＳＷ９が押されたことが検知された場合、マイコン６は、ＵＳＢインタフェース１５とは別の信号線１６の省エネ復帰信号を変化させ、コントローラ１に省エネ復帰操作があったことを通知する（ステップ２１４）。
【００２９】
（４）コントローラ１は、操作パネル４内のマイコン６からの省エネ復帰要求を受け、コントローラ１内のＡＳＩＣ３は、ＡＳＩＣ３の内部レジスタのクロックストップbit を解除し、各電源のＯＮ、クロック供給、Ｓｕｓｐｅｎｄ状態（省エネモード）の解除を行う（ステップ２１５）。
【００３０】
（５）一方、操作パネル４内のＵＳＢＨｕｂ１１も、マイコン６からの通知により、Suspend(省エネモード）bit を解除し、ＵＳＢインタフェースの初期化を行う（ステップ２１６、２１７）。
【００３１】
（６）その後、コントローラ１は、操作パネル４内のマイコン６からキーＳＷ９の操作によるキーデータを取得して、キーデータに従って要求されたコピー、印刷等の処理の実行を制御する（ステップ２１８）。
【００３２】
前述した本発明の第１の実施形態によれば、ＵＳＢインタフェースを構成するＰＨＹ、ＨＵＢデバイスをＳｕｓｐｅｎｄ状態へ移行させた状態であっても、コントローラ側が、ＵＳＢインタフェース以外の専用の復帰信号のレベル等を検知することができ、キー検知の有無を認識して、画像処理装置を省エネ状態から復帰させることができる。
【００３３】
図５は本発明の第２の実施形態による画像処理装置の構成、データ転送及び消費電力の状況を示す図である。
【００３４】
図５（ａ）に示す本発明の第２の実施形態による画像処理装置は、図３により説明したものと同一に構成されている。既に説明したよう、図３に示す例では、省エネモード時に、コントローラ１が操作パネル上のキーＳＷの操作の検知ができないため、本発明の第２の実施形態では、ある一定時間間隔毎に、コントローラ１が、クロック再開、ＵＳＢＨｕｂのSuspend 解除を行い、操作パネル４のマイコン６からキーＳＷデータをリードするようにしたものである。
【００３５】
そして、この本発明の第２の実施形態では、省エネモード時に、ある一定時間間隔毎に、コントローラ１が、クロック再開、ＵＳＢＨｕｂのSuspend 解除を行い、操作パネル４のマイコン６からキーＳＷデータをリードするようにしているので、図５（ｂ）に示すように、一定時間間隔毎にＵＳＢインタフェース１５を介したデータ転送が生じ、そのデータ転送を行っている期間だけ、図５（ｃ）に示すように、消費電力が大きくなっている。この例では、図３に説明したものに比較して、充分な省エネの効果を得ることができる。
【００３６】
図５−１は本発明の第２の実施形態での省エネモードへの移行時及び省エネモードからの復帰時の処理動作を説明するフローチャートであり、次に、これについて説明する。
【００３７】
（１）予め定めた一定時間の間、コピー、印刷等の画像処理装置の使用が無かったか否かを監視し、画像処理装置が一定時間使用されなかった場合、装置は、省エネモードへの移行を開始する（ステップ４０１、４０２）。
【００３８】
（２）そして、操作パネル４内のＵＳＢＨｕｂ１１は、Suspend(省エネモード）bit をセットし、省エネモードへ移行し、また、コントローラ１内のＡＳＩＣ３は、ＡＳＩＣ３の内部レジスタのクロックストップbit をセットし、ＡＳＩＣ３内のＵＳＢ−Ｉ／Ｆ部のクロックを停止させる。これにより、画像処理装置は、省エネモードへ移行する（ステップ４０３、４０４）。
【００３９】
（３）その後、コントローラ１は、一定時間の時間経過を検出すると、コントローラ１内のＡＳＩＣ３の内部レジスタのクロックストップbit を解除し、クロック供給を開始し、また、操作パネル４内のＵＳＢＨｕｂ１１も、マイコン６からの通知により、Suspend(省エネモード）bit を解除し、ＵＳＢインタフェースの初期化を行う（ステップ４０５〜４０８）。
【００４０】
（４）コントローラ１のＣＰＵ２は、ＵＳＢインタフェース１５を介して、操作パネル４のマイコン６からキーＳＷ９の操作が行われたか否かを示すキーデータを取得し、キー操作が行われたことを示すキーデータの変化かあったか否かを判定し、変化がなかった場合、ステップ４０３からの処理に戻って、再度、省エネモードへの移行処理を開始する（ステップ４０９、４１０）。
【００４１】
（５）ステップ４１０の判定で、キーデータに変化があった場合、装置は、省エネモードからの復帰しスタンバイモードへの移行処理を開始する。この復帰処理は、図４−１により説明したフローのステップ２１５以降と同一の処理であってよい（ステップ４１１）。
【００４２】
前述した本発明の第２の実施形態によれば、省エネモード時、ある一定期間毎に、ＵＳＢインタフェースを構成するデバイスを、Ｓｕｓｐｅｎｄ（省エネ）状態と、省エネ状態からの復帰状態とを繰り返すように制御しているので、コントローラと操作パネルとの間に、省エネからの復帰を通知する専用信号を設けることができない場合にも、コントローラがＵＳＢインタフェースを介してキー検知の有無を取得し、画像処理装置を省エネ状態から復帰させることができる。
【００４３】
図６は本発明の第３の実施形態による画像処理装置の構成を示すブロック図である。図６に示す本発明の第３の実施形態による画像処理装置は、図４により説明した本発明の第１実施形態のものと同一に構成されている。そして、この本発明の第３の実施形態が、第１の実施形態と相違する点は、画像処理装置の省エネモード時、コントローラ１が、コントローラ１内のＡＳＩＣ３のＵＳＢ−Ｉ／Ｆ部のクロック停止、操作パネル４内のＵＳＢＨｕｂの電源ＯＦＦを行う点である。これにより、さらに多くの消費電力の低減を図ることができる。
【００４４】
図６−１は本発明の第３の実施形態での省エネモードへの移行時及び省エネモードからの復帰時の処理動作を説明するフローチャートであり、次に、これについて説明する。
【００４５】
図６−１（ａ）に示す省エネモードへの移行時のフローにおいて、予め定めた一定時間の間、コピー、印刷等の画像処理装置の使用が無かったか否かを監視し、画像処理装置が一定時間使用されなかった場合（ステップ６０１）、操作パネル４内のＵＳＢＨｕｂ１１は、Suspend(省エネモード）bit をセットし、省エネモードへ移行する（ステップ６０２）。また、コントローラ１内のＡＳＩＣ３は、ＡＳＩＣ３の内部レジスタのクロックストップbit をセットし、ＡＳＩＣ３内のＵＳＢ−Ｉ／Ｆ部のクロックを停止させる（ステップ６０３）。また、ＵＳＢインタフェース１５を介して接続されている操作パネル４内のＵＳＢＨｕｂ１１は、その供給電源がＯＦＦとされる（ステップ６０４）。これにより、画像処理装置は、より深い省エネ状態となり、消費電力が大きく低減される。
【００４６】
次に、図６−１（ｂ）に示すフローを参照して本発明の第３の実施形態での省エネモードからの復帰時の処理動作を説明する。
【００４７】
（１）操作パネル４内のマイコン６は、省エネモード中も、ＬＣＤ７に対する表示リフレッシュ（データ再送）を行うと共に、キーＳＷ９の操作が行われたか否かを検知するためキースキャンを行っている（ステップ６１１、６１２）。
【００４８】
（２）ステップ６１２のキースキャンにより、キーＳＷ９の操作が行われたか否かを判定し、キー操作が行われていなかった場合、ステップ６１１からの処理に戻って処理を続ける（ステップ６１３）。
【００４９】
（３）ステップ６１３の判定で、キーＳＷ９が押されたことが検知された場合、マイコン６は、ＵＳＢインタフェース１５とは別の信号線１６の省エネ復帰信号を変化させ、コントローラ１に省エネ復帰操作があったことを通知すると共に、ＵＳＢＨｕｂ１１の供給電源をＯＮとする（ステップ６１４、６１５）。
【００５０】
（４）コントローラ１は、操作パネル４内のマイコン６からの省エネ復帰要求を受け、コントローラ１内のＡＳＩＣ３は、ＡＳＩＣ３の内部レジスタのクロックストップbit を解除し、各電源のＯＮ、クロック供給、Ｓｕｓｐｅｎｄ状態（省エネモード）の解除を行う（ステップ６１６）。
【００５１】
（５）一方、操作パネル４内のＵＳＢＨｕｂ１１も、マイコン６からの通知により、Suspend(省エネモード）bit を解除し、ＵＳＢインタフェースの初期化を行う（ステップ６１７、６１８）。
【００５２】
（６）その後、コントローラ１は、操作パネル４内のマイコン６からキーＳＷ９の操作によるキーデータを取得して、キーデータに従って要求されたコピー、印刷等の処理の実行を制御する（ステップ６１９）。
【００５３】
前述した本発明の第３の実施形態によれば、省エネモード時、ＵＳＢインタフェースを構成するデバイスへの供給電源をＯＦＦすることができるので、ＵＳＢインタフェースを構成するＰＨＹ、ＨＵＢデバイスのＳｕｓｐｅｎｄ状態で消費される電力分の電力の低減を図ることができる。
【００５４】
図７は本発明の第４の実施形態による画像処理装置の構成を示すブロック図である。図７に示す本発明の第４の実施形態による画像処理装置は、図４、図６により説明した本発明の第１、第３の実施形態のものと同一に構成されている。そして、この本発明の第４の実施形態が、第３の実施形態と相違する点は、画像処理装置の省エネモード時、操作パネル４内のＵＳＢＨｕｂ１１の電源ＯＦＦと共に、メモリカードコントローラ１３の供給電源のＯＦＦをも行う点である。これにより、さらに多くの消費電力の低減を図ることができる。
【００５５】
図７−１は本発明の第４の実施形態での省エネモードへの移行時及び省エネモードからの復帰時の処理動作を説明するフローチャートであり、次に、これについて説明する。
【００５６】
図７−１（ａ）に示す省エネモードへの移行時のフローにおいて、予め定めた一定時間の間、コピー、印刷等の画像処理装置の使用が無かったか否かを監視し、画像処理装置が一定時間使用されなかった場合（ステップ９０１）、操作パネル４内のＵＳＢＨｕｂ１１は、Suspend(省エネモード）bit をセットし、省エネモードへ移行する（ステップ９０２）。また、コントローラ１内のＡＳＩＣ３は、ＡＳＩＣ３の内部レジスタのクロックストップbit をセットし、ＡＳＩＣ３内のＵＳＢ−Ｉ／Ｆ部のクロックを停止させる（ステップ９０３）。また、ＵＳＢインタフェース１５を介して接続されている操作パネル４内のＵＳＢＨｕｂ１１及びメモリカードコントローラ１３は、その供給電源がＯＦＦとされる（ステップ９０４）。これにより、画像処理装置は、より深い省エネ状態となり、消費電力が大きく低減される。
【００５７】
次に、図７−１（ｂ）に示すフローを参照して本発明の第４の実施形態での省エネモードからの復帰時の処理動作を説明する。
【００５８】
（１）操作パネル４内のマイコン６は、省エネモード中も、ＬＣＤ７に対する表示リフレッシュ（データ再送）を行うと共に、キーＳＷ９の操作が行われたか否かを検知するためのキースキャン、及び、装置の前面側からＵＳＢ−Ｉ／Ｆ１２を介して他の機器であるＵＳＢ−Ｈｏｓｔが接続されたか否か、メモリカードＩ／Ｆ１４にメモリカードが接続されたか否かの監視を行っている（ステップ９１１、９１２）。
【００５９】
（２）ステップ９１２のキースキャン、監視により、キーＳＷ９の操作が行われたか否か、ＵＳＢ−Ｈｏｓｔが接続されたか否か、メモリカードＩ／Ｆ１４にメモリカードが接続されたか否かを判定し、キー操作が行われておらず、ＵＳＢ機器もメモリカードも接続されなかった場合、ステップ９１１からの処理に戻って処理を続ける（ステップ９１３）。
【００６０】
（３）ステップ９１３の判定で、キーＳＷ９が押された、ＵＳＢ機器、メモリカードが接続されことの少なくとも１つが検知された場合、マイコン６は、ＵＳＢインタフェース１５とは別の信号線１６の省エネ復帰信号を変化させ、コントローラ１に省エネ復帰イベントがあったことを通知すると共に、ＵＳＢＨｕｂ１１の供給電源をＯＮとする（ステップ９１４、９１５）。
【００６１】
（４）コントローラ１は、操作パネル４内のマイコン６からの省エネ復帰要求を受け、コントローラ１内のＡＳＩＣ３は、ＡＳＩＣ３の内部レジスタのクロックストップbit を解除し、各電源のＯＮ、クロック供給、Ｓｕｓｐｅｎｄ状態（省エネモード）の解除を行う（ステップ９１６）。
【００６２】
（５）一方、操作パネル４内のＵＳＢＨｕｂ１１も、マイコン６からの通知により、Suspend(省エネモード）bit を解除し、ＵＳＢインタフェースの初期化を行う（ステップ９１７、９１８）。
【００６３】
（６）その後、コントローラ１は、操作パネル４内のマイコン６から復帰要因のデータを取得して、取得したデータに従って要求されたコピー、印刷等の処理の実行を制御する（ステップ９１９）。
【００６４】
前述したステップ９１２の処理において、操作パネル４内のマイコン６が、ＵＳＢ−Ｈｏｓｔが接続されたこと、メモリカードが接続されたことを検出する処理は、次のように行われる。
【００６５】
すなわち、ＵＳＢ−Ｉ／Ｆ１２にＵＳＢデバイスが装着された場合、ＵＳＢデバイスに供給する電源電流が変化する。ＵＳＢ−Ｉ／Ｆ１２は、この電流値があるレベルを超えた場合、ＵＳＢ−Ｉ／Ｆ部１２にＵＳＢデバイスが接続されたと判断し、マイコン６に接続される信号を変化させる。また、メモリカードＩ／ＦにＳＤカードが装着された場合、ＳＤカードソケットにあるＳＤカード検知信号が変化する。メモリカードコントローラ１３は、この信号の変化をマイコン６に接続される信号として送信する。マイコン６は、このようにして、ＵＳＢ−Ｈｏｓｔが接続されたこと、メモリカードが接続されたことを検知することができる。
【００６６】
前述した本発明の第４の実施形態によれば、省エネモード時、ＵＳＢ-Hostインタフェースに接続されるデバイスの有無の検知信号、メモリカードの有無の検知信号を、機器状態を表示するマイコンに接続しているので、省エネモードでＵＳＢインタフェース部の電源をＯＦＦとしてあっても、ＵＳＢ-HostインタフェースにＵＳＢデバイスが接続されたり、メモリカードスロットにメモリカードが装着されたりしたことをコントローラ側に通知することができ、省エネ状態から復帰させることができる。
【００６７】
前述で説明した本発明の第４の実施形態では、画像処理装置の省エネモード時、コントローラ１が、コントローラ１のＡＳＩＣ３のＵＳＢ−Ｉ／Ｆ部のクロック停止、操作パネル４のＵＳＢＨｕｂ１１の電源ＯＦＦを行って消費電力の低減を図っているか、操作パネル４のマイコン６は、省エネモード中も、ＬＣＤ７の表示リフレッシュ（データ再送）、キーＳＷ９の操作の検知を行うと共に、ＵＳＢ−Ｉ／Ｆ、メモリカードＩ／Ｆからの復帰信号の検知も行っている。
【００６８】
そして、コントローラ１が、省エネ状態からの復帰要求を受けてから、各電源のＯＮ、クロック供給、イニシャライズ等、スタンバイ同等の状態までに移行させるには一定の時間が必要である。この時間は、システムが高機能であり、省エネモード時の電力が低ければ低いほど長くなる。
【００６９】
この結果、省エネモードからの復帰に時間がかかり、ユーザは、省エネモード復帰中の表示ガイダンスが長いと、困惑してしまい、装着したＵＳＢデバイス、メモリカードを抜き差しするケースが発生する。そこで、本発明の第４の実施形態では、メモリカードの挿入により、省エネモードからの復帰を行う際に、操作パネル４のマイコン６が、コントローラ１の復帰完了前に、装着したＵＳＢデバイス、メモリカードの抜き差しを禁止する警告をＬＣＤ７の画面に表示させるようにすることができる。
【００７０】
図８は省エネモードからの復帰時におけるＬＣＤ７の画面の表示制御を説明する図である。いま、画像処理装置が省エネモードにある状態で、時刻ｔ０でメモリカードＩ／Ｆ１４にメモリカードが挿入されたとする。このとき、前述で説明したように、カード検知信号がマイコン６に通知されると共に、マイコン６を介してコントローラ１に通知される。コントローラ１は、これを受けて、各電源をＯＦＦからＯＮとして、省エネモードからの復帰制御を行い、イニシャライズ、ＬＣＤ表示データの生成を行う。
【００７１】
一方、操作パネル４のマイコン６は、カード検知信号が通知されると、コントローラ１が、各電源をＯＦＦからＯＮとして、省エネモードからの復帰制御を行い、イニシャライズ、ＬＣＤ表示データの生成を行って、ＬＣＤ７にコントローラ１が生成した表示データの表示を行うことができるようになる時刻ｔ１までの間、省エネモードからの復帰動作中であることを知らせるガイダンスやメモリカードを抜かないでください等の警告ガイダンスを表示する。このような表示を行うことにより、ユーザは、省エネモードからの復帰に時間がかかるような場合にも、メモリカード等を抜かずに、省エネモードから復帰するまで待つことができる。
【００７２】
前述した例によれば、メインコントローラが起動する前に、操作パネル上のマイコンで簡易的に、ＵＳＢデバイスや、メモリカードを抜かないように警告を表示することとしているので、ＵＳＢ−Hostインタフェースやメモリカードを挿入したことにより機器が復帰動作に入ってから、メインコントローラが復帰するまでに時間差があり、省エネ復帰中画面がしばらく変化せず、機器の前に立っているユーザが困惑し、場合によっては、装着したＵＳＢデバイスや、メモリカードを抜く可能性を排除することができる。
【００７３】
図９は本発明の第５の実施形態による画像処理装置の構成及び省エネモード時、スタンバイ時のＬＥＤの消費電力を説明する図である。図９（ａ）に示す本発明の第５の実施形態による画像処理装置の構成は、図４、図６、図７により説明した本発明の第１、第３、第４の実施形態のものと同一である。そして、この本発明の第５の実施形態は、操作パネル４のＬＣＤ７がモノクロのＳＴＮタイプのＬＣＤである場合に適用して好適なもので、省エネモード時に、点灯しているＬＥＤのＤｕｔｙ比を下げることにより消費電力を下げることができるようにしたものである。この本発明の第５の実施形態は、前述までに説明した各実施形態と併用することができる。
【００７４】
通常、操作パネル４のＬＣＤ７がモノクロのＳＴＮタイプのＬＣＤである場合、省エネモード時に操作パネル４で消費される電力は、ＬＥＤ８の電力消費分がほとんどである。そこで、本発明の第５の実施形態は、省エネモード時に、操作パネル４のマイコン６が、点灯しているＬＥＤ８のＤｕｔｙ比を下げて、ＬＥＤ８での消費電力を下げるようにＬＥＤ８を制御するようにしている。このＬＥＤの点灯Ｄｕｔｙ比は、ＬＥＤの輝度に影響があるため、可変としてユーザが選択設定することができる。Ｄｕｔｙ比の設定は、コントローラ１の不揮発メモリに記録され、画像処理装置の電源ＯＮ時に、操作パネル４のマイコン６に渡すようにしておけばよい。
【００７５】
省エネモード時におけるＬＥＤの点灯Ｄｕｔｙ比とＬＥＤの消費電力との関係及び省エネモードから復帰してスタンバイ状態になったときのＬＥＤの消費電力を図９（ｂ）に示している。この図９（ｂ）から判るように、ＬＥＤの点灯Ｄｕｔｙ比を大きくしていくと、ＬＥＤの消費電力はそれに従って大きくなっていく。このときＬＥＤの明るさも変化することになる。従って、ＬＥＤの点灯Ｄｕｔｙ比を小さくすれば、ＬＥＤの明るさが低減するが、消費電力を抑えることができる。また、スタンバイ状態に移行すれば、ＬＥＤの点灯Ｄｕｔｙ比を１００％として、ＬＥＤを最大輝度で点灯することができる。
【００７６】
前述した本発明の第５の実施形態によれば、ＬＥＤの点灯デューティを下げることにより、ＬＥＤの点灯時の消費電力を低減することができる。電力低減で、ＬＥＤの必要輝度が課題となるが、ユーザの設定により可変とすることにより、柔軟な対応が可能となる。
【図面の簡単な説明】
【００７７】
【図１】従来技術による画像処理装置の構成例（その１）を示すブロック図である。
【図２】従来技術による画像処理装置の構成例（その２）を示すブロック図である。
【図３】ＵＳＢインタフェース、メモリカードスロットを機器前面に配置した場合の従来技術による画像処理装置の構成例を示す図である。
【図４】本発明の第１の実施形態による画像処理装置の構成を示すブロック図である。
【図４−１】本発明の第１の実施形態での省エネモードへの移行時及び省エネモードからの復帰時の処理動作を説明するフローチャートである。
【図５】本発明の第２の実施形態による画像処理装置の構成、データ転送及び消費電力の状況を示す図である。
【図５−１】本発明の第２の実施形態での省エネモードへの移行時及び省エネモードからの復帰時の処理動作を説明するフローチャートである。
【図６】本発明の第３の実施形態による画像処理装置の構成を示すブロック図である。
【図６−１】本発明の第３の実施形態での省エネモードへの移行時及び省エネモードからの復帰時の処理動作を説明するフローチャートである。
【図７】本発明の第４の実施形態による画像処理装置の構成を示すブロック図である。
【図７−１】本発明の第４の実施形態での省エネモードへの移行時及び省エネモードからの復帰時の処理動作を説明するフローチャートである。
【図８】省エネモードからの復帰時におけるＬＣＤの画面の表示制御を説明する図である。
【図９】本発明の第５の実施形態による画像処理装置の構成及び省エネモード時、スタンバイ時のＬＥＤの消費電力を説明する図である。
【符号の説明】
【００７８】
１  コントローラ
２  ＣＰＵ
３  ＡＳＩＣ
４  操作パネル
５  ＬＣＤコントローラ
６  マイコン
７  ＬＣＤ
８  ＬＥＤ
９  キーＳＷ
１０  エンジンコントローラ
１１  ＵＳＢ−Ｈｕｂ
１２  ＵＳＢ−Ｉ／Ｆ
１３  メモリカードコントローラ
１５  ＵＳＢインタフェース
１６  信号線
１７  サブ電源キーＳＷ
【図１】
2009048548.tif 000003
【図２】
2009048548.tif 000004
【図３】
2009048548.tif 000005
【図４】
2009048548.tif 000006
【図４−１】
2009048548.tif 000007
【図５】
2009048548.tif 000008
【図５−１】
2009048548.tif 000009
【図６】
2009048548.tif 000010
【図６−１】
2009048548.tif 000011
【図７】
2009048548.tif 000012
【図７−１】
2009048548.tif 000013
【図８】
2009048548.tif 000014
【図９】
2009048548.tif 000015